(57)【要約】【課題】複数の同一機種や異機種の携帯電話機を小スペースかつ整然とした状態で容易に充電することができ、また、自己あるいは特定の携帯電話を容易に識別し管理することができる携帯電話機用集合型充電器を提供すること。【解決手段】筐体１の上面であるパネル面１−５上に複数の携帯電話機充電用ホルダ９を配設する。筐体１内部には複数のＡＣアダプタが収容されている。携帯電話機充電用ホルダ９は、パネル面１−５に設けられた貫通孔を通る接続ケーブル１４により電源分配用基板上に設けられたＡＣアダプタに電気的に接続される。筐体１に設けられた１つのＡＣコンセント、電源分配用基板上のＡＣアダプタ、接続ケーブル１４を介して外部ＡＣ電源が携帯電話機充電用ホルダ９に供給される。【選択図】　　図３
0003097279.tif 000002
【実用新案登録請求の範囲】
【請求項１】
上面をパネル面とする筐体と、前記パネル面上に配設された複数の携帯電話機充電用ホルダと、前記筐体の内部に収容され、各々が前記複数の携帯電話機充電用ホルダの各々と対応する複数のＡＣアダプタと、一端が前記ＡＣアダプタに接続され、他端が前記パネル面に形成された貫通口を通して対応する前記携帯電話機充電用ホルダに接続された接続コードと、前記複数のＡＣアダプタに対して外部から給電を行うために前記筐体のいずれかの面に配設された１つのＡＣコンセントとを備えたことを特徴とする携帯電話機用集合型充電器。
【請求項２】
前記パネル面上に、各携帯電話機用充電ホルダを識別し得る識別情報が付されていることを特徴とする請求項１に記載の携帯電話機用集合型充電器。
【請求項３】
前記識別情報は、各携帯電話機用充電ホルダの近傍に設けられたネームラベルに付されていることを特徴とする請求項２に記載の携帯電話機用集合型充電器。
【請求項４】
前記携帯電話機充電用ホルダおよび前記ＡＣアダプタは、交換可能であることを特徴とする請求項１ないし３のいずれかに記載の携帯電話機用集合型充電器。
【請求項５】
前記筐体の内部に電源分配用基板を設け、該電源分配用基板に前記複数のＡＣアダプタの各々を接続可能な複数のＡＣコンセントを配設したことを特徴とする請求項１ないし４のいずれかに記載の携帯電話機用集合型充電器。
【請求項６】
携帯電話機用集合型充電器のための筐体において、上面をパネル面とし、前記パネル面には、前記筐体の内部に収容される複数のＡＣアダプタの各々と前記パネル面上に配設される複数の携帯電話機充電用ホルダの各々とを接続する接続ケーブルが通る複数の貫通孔が形成されており、前記筐体のいずれか一面に、前記複数のＡＣアダプタに給電するための１つのＡＣコンセントが配設されていることを特徴とする携帯電話機用集合型充電器のための筐体。
【請求項７】
前記パネル面にネームラベルが設けられていることを特徴とする請求項６に記載の携帯電話機用集合型充電器のための筐体。
【考案の詳細な説明】
【０００１】
【考案の属する技術分野】
本考案は、携帯電話機用集合型充電器およびそのための筐体に関し、特に、複数の同一機種や異機種の携帯電話機を小スペースかつ整然とした状態で容易に充電することができる携帯電話機用集合型充電器およびそのための筐体に関する。
【０００２】
【従来の技術】
携帯電話の発達により誰でも何処でも必要なときに通話などの情報通信が行えるようになってきた。例えば、外交や営業などの業務を行う社員を抱える企業においては、それら社員に対して業務用に一台ずつの携帯電話機を貸与して必要なときに即座に情報通信を行えるようにする配慮がなされている。
【０００３】
このような業務用などで使用される複数の携帯電話機の充電は、例えば業務終了後に、それら携帯電話機を一カ所に集中させ、それぞれを個別の充電用ホルダに設置し、ＡＣアダプタおよび接続ケーブルを使用し、さらに必要に応じてテーブルタップなどを使用してＡＣコンセントなどの外部ＡＣ電源に接続することにより行われている。
【０００４】
【考案が解決しようとする課題】
しかしながら、前記のように、複数の携帯電話機を一カ所に集中させ、それぞれに対して別個の充電用ホルダおよびＡＣアダプタ、接続ケーブルを接続して充電する場合、それらの設置場所として広いスペースが必要になる。また、充電しようとする携帯電話機の数だけの充電用ホルダおよびＡＣアダプタ、接続ケーブルにより設置場所が乱雑になり、そのような中から自己の携帯電話機に合った充電用ホルダを探し出すこと、充電後の自己の携帯電話機を探し出すことは、煩わしい作業である。
【０００５】
また、設置場所の周辺には、充電しようとする携帯電話機の数だけのＡＣコンセントあるいはテーブルタップなどの外部電源を必要とし、さらに、接続ケーブルの接続されている充電用ホルダを固定しておかない限り、携帯電話機の充電用ホルダへの設置、充電用ホルダからの携帯電話機の取り外しに両手を必要とし、面倒であるという問題もある。
【０００６】
本考案は、上記問題点を解消し、複数の同一機種や異機種の携帯電話機を小スペースかつ整然とした状態で容易に充電することができ、また、充電に使用する充電用ホルダや充電後の自己の携帯電話機を容易に識別することができる携帯電話機用集合型充電器を提供することを目的とする。
【０００７】
【課題を解決するための手段】
前記課題を解決するために、本考案は、上面をパネル面とする筐体と、前記パネル面上に配設された複数の携帯電話機充電用ホルダと、前記筐体の内部に収容され、各々が前記複数の携帯電話機充電用ホルダの各々と対応する複数のＡＣアダプタと、一端が前記ＡＣアダプタに接続され、他端が前記パネル面に形成された貫通口を通して対応する前記携帯電話機充電用ホルダに接続された接続コードと、前記複数のＡＣアダプタに対して外部から給電を行うために前記筐体のいずれかの面に配設されたの１つのＡＣコンセントとを備えた点に第１の特徴がある。
【０００８】
また、本考案は、前記パネル面上に、各携帯電話機用充電ホルダを識別し得る識別情報を付されている点に第２の特徴がある。
【０００９】
また、本考案は、前記識別情報が各携帯電話機用充電ホルダの近傍に設けられたネームラベルに付されている点に第３の特徴がある。
【００１０】
また、本考案は、前記携帯電話機充電用ホルダおよびＡＣアダプタが交換可能である点に第４の特徴がある。
【００１１】
また、本考案は、前記筐体の内部に電源分配用基板を設け、該電源分配用基板に前記複数のＡＣアダプタの各々を接続可能な複数のＡＣコンセントを配設した点に第５の特徴がある。
【００１２】
また、本考案は、携帯電話機用集合型充電器のための筐体において、上面をパネル面とし、前記パネル面には、前記筐体の内部に収容される複数のＡＣアダプタの各々と前記パネル面上に配設される複数の携帯電話機充電用ホルダの各々とを接続する接続ケーブルが通る複数の貫通孔が形成されており、前記筐体のいずれか一面に、前記複数のＡＣアダプタに給電するための１つのＡＣコンセントが配設されている点に第６の特徴がある。
【００１３】
さらに、本考案は、前記パネル面にネームラベルが設けられている点に第７の特徴がる。
【００１４】
第１および第６の特徴によれば、パネル面上に複数の携帯電話機用充電ホルダを整然と配設することができ、余分な接続ケーブルを筐体内部に収容することができ、外部ＡＣ電源には１つのＡＣコンセントを介して接続することができるため、複数の同一機種や異機種の携帯電話機を小スペースかつ整然とした状態で容易に充電することができる。
【００１５】
また、第２、第３および第７の特徴によれば、使用する充電用ホルダや充電後の自己あるいは特定の携帯電話を容易に識別して管理することができる
【００１６】
また、第４の特徴によれば、携帯電話機の機種の変更などがあっても、携帯電話機充電用ホルダおよびＡＣアダプタを交換することにより容易に対処することができる。
【００１７】
さらに、第５の特徴によれば、電源を筐体の内部で共通化することができるため、外部ＡＣ電源に対する外部接続ケーブルが１本で済む。
【００１８】
【考案の実施の形態】
以下に、図面を参照して本考案を詳細に説明する。図１は本考案に係る携帯電話機用集合型充電器の一実施形態の正面図、図２は同背面図、図３は同上面図、図４はパネル上面と内部構造を示す同上面図である。
【００１９】
図１〜図４において、筐体１は、前側面１−１、背側面１−２、左右側面１−３、１−４、上面１−５および下面１−６を有する。前側面１−１には通気用スリット２、飾り板３などを設ける。背側面１−２には通気用スリット４、電源オン／オフスイッチ５、ＡＣコンセント（外部ＡＣ電源入力端）６、型式や製造番号などを記入した銘板７などを設ける。下面１−６には設置用脚８を設ける。下面１−６および左右側面１−３、１−４にも必要に応じて通気用スリットを設けてもよい。
【００２０】
上面１−５は、携帯電話機用集合型充電器のパネル面となるものであり、この面上に、図３に例示したように、複数、例えば２列で各列５個、計１０個の携帯電話機充電用ホルダ９を配設する。携帯電話機充電用ホルダ９は、同一機種用のものでも異機種用のものでも構わない。また、各携帯電話機充電用ホルダ９は、例えばビスあるいはテープでパネル面上に固定することができる。なお、図１および図２では、携帯電話機充電用ホルダ９の具体的形態は図示を省略しているが、例えば、図３に示すように、上部から携帯電話機が挿入され、充電端子１０が携帯電話機の充電端子に接触するような具体的形態を有する。
【００２１】
パネル面１−５には各携帯電話機充電用ホルダ対応の貫通孔１１を設ける。貫通孔１１は、例えば、接続ケーブル１５のコネクタ部分（ホルダ側）が通り得る程度の大きさを有する部分（太い部分）と接続ケーブル１５が通る程度の大きさを有する部分（細い部分）とから成る。この貫通孔１１の太い部分は、その上に配設される携帯電話機充電用ホルダ９により覆われる。
【００２２】
各携帯電話機充電用ホルダ９の近傍にそれらを識別し得る識別情報を付す。図３は、識別情報を付すためのネームラベル１２を各携帯電話機充電用ホルダ９の近傍に設けた例を示している。識別情報は、各携帯電話機充電用ホルダ９に割り当てた通し番号、各携帯電話機充電用ホルダ９に設置されて充電される携帯電話機の使用者名などでよい。
【００２３】
筐体１の内部には電源分配用基板１３を設け、この電源分配用基板１３上に携帯電話機充電用ホルダ９と同数のＡＣアダプタ１４を配設する。
【００２４】
接続ケーブル１５のコネクタ部分を貫通孔の太い部分に通して携帯電話機充電用ホルダ９とＡＣアダプタ１４とを接続した後、接続ケーブル１１を貫通孔１１の細い部分に移動させ、パネル面１−５上に携帯電話機充電用ホルダ９を配設することにより、携帯電話機充電用ホルダ９の各々とそれに対応するＡＣアダプタ１４とを接続ケーブル１５で電気的に接続することができ、また、携帯電話機充電用ホルダ９を配設することができる。接続ケーブル１５は、アダプタコードとしてＡＣアダプタに接続固定されている場合もある。接続ケーブル１５の余長部分は筐体１の内部に収容することが好ましい。
【００２５】
各ＡＣアダプタ１４の電源入力側は、電源分配用基板１３に配設した対応するＡＣコンセント（図示せず）に接続し、各ＡＣコンセントを介して筐体１の背側面１−２に設けたＡＣコンセント６から各ＡＣアダプタ１４にＡＣ電源が供給されるようになっている。なお、ＡＣコンセント６は、背側面１−２の限られず、筐体１のいずれかの面に設ければよい。
【００２６】
図５は、本考案に係る携帯電話機用集合型充電器の一実施形態の電気的接続の概念図である。１本の外線ケーブル１６を使用してＡＣコンセント６を外部ＡＣ電源に接続し、ＡＣコンセント６および電源分配用基板（ＡＣコンセント）１３を介して各ＡＣアダプタ１４にＡＣ電源を供給可能にする。各ＡＣアダプタ１４はＡＣ−ＤＣ変換を行い、接続ケーブル１５を介して対応の各携帯電話機充電用ホルダ９にＤＣ電源を供給する。
【００２７】
したがって、電源オン／オフスイッチ５をオンにすれば、携帯電話機充電用ホルダ９の充電端子に電源が供給され、それに設置されている携帯電話機の充電を行うことができる。なお、ＡＣコンセント６からＡＣアダプタ１４への電源供給経路を個別し、あるいは個別になっている部分に対してそれぞれ１つずつの電源オン／オフスイッチ５を設けるようにすることもでき、これによれば、ＡＣコンセント５から電源分配用基板１３を介してのＡＣアダプタ１４への電源を各ＡＣアダプタ別にオン／オフさせることができる。
【００２８】
前記実施形態において、携帯電話機充電用ホルダ９およびＡＣアダプタ１４は、交換可能にすることができる。これは、パネル面１−５上に配設する携帯電話機充電用ホルダ９および電源分配用基板上に配設するＡＣアダプ１４を着脱可能な構成にすることにより容易に実現できる。このようにすれば、使用する携帯電話機の機種が変更されても携帯電話機充電用ホルダ９およびＡＣアダプタ１４を交換するだけで対処することができ、充電器は汎用的なものとなる。
【００２９】
【考案の効果】
以上の説明から明らかなように、本考案によれば、複数の同一機種や異機種の携帯電話機を小スペースかつ整然とした状態で容易に充電することができ、また、自己あるいは特定の携帯電話を容易に識別し管理することができる。
【００３０】
さらに、余計なケーブルに妨げられることなく、携帯電話機充電用ホルダに対する携帯電話機の設置、取り外しを容易に、しかも片手で行うことができる。また、パネル面の貫通孔を通した接続ケーブルにより携帯電話機充電用ホルダとＡＣアダプタとを接続しているため、接続ケーブルが乱雑になることがなく、装飾性が高まるという効果も得られる。
【図面の簡単な説明】
【図１】本考案に係る携帯電話機用集合型充電器の一実施形態の正面図である。
【図２】図１の背面図である。
【図３】図１の上面図である。
【図４】図１のパネル上面と内部構造を示す上面図である。
【図５】本考案に係る携帯電話機用集合型充電器の一実施形態の電気的接続の概念図である。
【符号の説明】
１…筐体、２、４…通気用スリット、３…飾り板、５…電源オン／オフスイッチ、６…ＡＣコンセント、７…銘板、８…設置用脚、９…携帯電話機充電用ホルダ、１０…充電端子、１１…貫通孔、１２…ネームラベル、１３…電源分配用基板、１４…ＡＣアダプタ、１５…接続ケーブル、１６…外線ケーブル
【図１】
0003097279.tif 000003
【図２】
0003097279.tif 000004
【図３】
0003097279.tif 000005
【図４】
0003097279.tif 000006
【図５】
0003097279.tif 000007